(57)【特許請求の範囲】
【請求項１】
建物における屋内と屋外との境に設けられるドアの構造において、
屋内と屋外とを開閉可能に隔てる扉板と、
前記扉板が閉じられて屋内と屋外とが互いに隔てられた状態において、当該扉板に隣接されるように位置される隣接体と、
前記扉板において屋外側となる面に設けられて、この屋外の光を受けて発電を行うソーラーパネルと、
前記ソーラーパネルが発電した電気エネルギーを蓄電するバッテリーと、
前記隣接体において屋外側となる位置に前記ソーラーパネルと並んで露見されるように設けられて、前記バッテリーに蓄電された電気エネルギーを使用して発光することで、屋外側に向けての表示を実現させるディスプレイと、
前記ソーラーパネルから前記バッテリーに蓄電される電気エネルギーを前記ディスプレイに供給する配線と、
それぞれが特定の歳時あるいは風物を表した複数の画像ファイルを、それぞれ、当該各画像ファイルが表す歳時あるいは風物の時季の情報と対応させた状態でコンピュータ読み取り可能に記憶する記憶媒体と、
前記バッテリーに蓄電された電気エネルギーにより駆動されて、現時点が属する時季における歳時あるいは風物を表した前記画像ファイルを、前記記憶媒体からコンピュータ読み取りして前記ディスプレイによる表示が可能なコンテンツとして用意する処理を常時繰り返して行うことが可能なコンテンツ用意手段と、
前記バッテリーに蓄電された電気エネルギーにより駆動されて、現時点が昼であるか夜であるかの判定を行い、現時点が夜であると判定しているときには、前記コンテンツ用意手段により用意された前記コンテンツを前記ディスプレイに表示させる制御を行う制御手段と、
前記記憶媒体に記憶された複数の前記画像ファイルのうち１つを選択する選択情報を前記コンテンツ用意手段に入力する操作を行うことができる操作盤と、
を備え、
前記コンテンツ用意手段は、前記操作盤が操作されて前記選択情報が入力されたときには、現時点が属する時季における歳時あるいは風物を表した前記画像ファイルに代えて、前記選択情報によって選択された前記画像ファイルを前記記憶媒体からコンピュータ読み取りして、前記ディスプレイによる表示が可能な前記コンテンツとして用意する、
ドアの構造。
【請求項２】
請求項１に記載されたドアの構造であって、
前記記憶媒体は、特定の歳時あるいは風物を表した前記画像ファイルとは別に、特定の時季によらず発生するイベントに関連する静止画あるいは動画のファイルであるイベント関連画像ファイルをコンピュータ読み取り可能に記憶し、
前記操作盤は、前記記憶媒体に記憶された前記イベント関連画像ファイルのうち１つを指定する指定情報を前記コンテンツ用意手段に入力する操作を行うことができるように構成され、
前記コンテンツ用意手段は、前記操作盤が操作されて前記指定情報が入力されたときには、現時点が属する時季における歳時あるいは風物を表した前記画像ファイルに代えて、前記指定情報によって指定された前記イベント関連画像ファイルを前記記憶媒体からコンピュータ読み取りして、前記ディスプレイによる表示が可能な前記コンテンツとして用意する、
ドアの構造。
【発明の詳細な説明】
【技術分野】
【０００１】
本発明は、建物における屋内と屋外との境に設けられるドアの構造に関する。
【背景技術】
【０００２】
この種のドアの構造に関しては、例えば下記の特許文献１に開示された従来技術が知られている。この従来技術は、住宅用の玄関ドアにおいて屋外側となる部分に黒色の板材および有機エレクトロルミネッセンス素子を取り付けて、この有機エレクトロルミネッセンス素子を夜間においてのみ発光させて表示を行うものである。また、特許文献１には、上記黒色の板材をソーラーパネルにする技術、および、ソーラーパネルが発電した電気エネルギーをバッテリーに蓄電して、蓄電された電気エネルギーのみを使用して有機エレクトロルミネッセンス素子を発光させる技術が示されている。
【先行技術文献】
【特許文献】
【０００３】
【特許文献１】特開２００６−００３６９８号公報
【発明の概要】
【発明が解決しようとする課題】
【０００４】
しかし、上記従来技術では、有機エレクトロルミネッセンス素子における表示の内容が、この有機エレクトロルミネッセンス素子における電極の形状によって決定される。このため、上記従来技術では、夜間における発光表示の内容の変化を楽しむことができなかった。
【０００５】
本発明は、ドアの周辺で夜間に発光表示を行う際に、この発光表示を表示内容が自動的に切り替わるように実現させることで、夜間における発光表示の内容の変化を楽しむことを可能とするものである。
【課題を解決するための手段】
【０００６】
上記課題を解決するために、本発明のドアの構造は以下の手段をとる。
【０００７】
まず、第１の発明は、建物における屋内と屋外との境に設けられるドアの構造である。このドアの構造は、屋内と屋外とを開閉可能に隔てる扉板を備えている。また、上記ドアの構造は、扉板が閉じられて屋内と屋外とが互いに隔てられた状態において、この扉板に隣接されるように位置される隣接体を備えている。また、上記ドアの構造は、扉板において屋外側となる面に設けられて、この屋外の光を受けて発電を行うソーラーパネルを備えている。また、上記ドアの構造は、ソーラーパネルが発電した電気エネルギーを蓄電するバッテリーを備えている。また、上記ドアの構造は、隣接体において屋外側となる位置にソーラーパネルと並んで露見されるように設けられて、バッテリーに蓄電された電気エネルギーを使用して発光することで、屋外側に向けての表示を実現させるディスプレイを備えている。また、上記ドアの構造は、ソーラーパネルからバッテリーに蓄電される電気エネルギーをディスプレイに供給する配線を備えている。また、上記ドアの構造は、それぞれが特定の歳時あるいは風物を表した複数の画像ファイルを、それぞれ、各画像ファイルが表す歳時あるいは風物の時季の情報と対応させた状態でコンピュータ読み取り可能に記憶する記憶媒体を備えている。また、上記ドアの構造は、バッテリーに蓄電された電気エネルギーにより駆動されて、現時点が属する時季における歳時あるいは風物を表した画像ファイルを、記憶媒体からコンピュータ読み取りしてディスプレイによる表示が可能なコンテンツとして用意する処理を常時繰り返して行うことが可能なコンテンツ用意手段を備えている。また、上記ドアの構造は、バッテリーに蓄電された電気エネルギーにより駆動されて、現時点が昼であるか夜であるかの判定を行い、現時点が夜であると判定しているときには、コンテンツ用意手段により用意されたコンテンツをディスプレイに表示させる制御を行う制御手段を備えている。また、上記ドアの構造は、上記記憶媒体に記憶された複数の画像ファイルのうち１つを選択する選択情報をコンテンツ用意手段に入力する操作を行うことができる操作盤を備えている。また、第１の発明において、上記コンテンツ用意手段は、上記操作盤が操作されて上記選択情報が入力されたときには、現時点が属する時季における歳時あるいは風物を表した画像ファイルに代えて、上記選択情報によって選択された画像ファイルを上記記憶媒体からコンピュータ読み取りして、ディスプレイによる表示が可能なコンテンツとして用意する。
【０００８】
この第１の発明では、昼間にはソーラーパネルが屋外の光を受けて発電する電気エネルギーがバッテリーに蓄電され、夜間にはバッテリーに蓄電された電気エネルギーを使用して屋外への発光表示が行われる。また、上記第１の発明によれば、現時点における歳時あるいは風物を表した画像ファイルをコンテンツとしてディスプレイに表示させることで、発光表示の内容を時季の移り変わりに応じて自動的に切り替えてその変化を楽しむことができる。また、ソーラーパネルが設けられる扉板に隣接される隣接体にディスプレイを設ける構成によれば、扉板におけるソーラーパネルの受光面積が、このソーラーパネルと並んで露見されるディスプレイによって制約されることを回避することができる。これにより、ソーラーパネルの受光面積を広く確保してこのソーラーパネルの発電量を増やし、夜間における発光表示に必要な電気エネルギーを十分に確保することができる。また、上記第１の発明によれば、操作盤によりコンテンツ用意手段に選択情報を入力することで、夜間における発光表示の内容を手動で切り替えてその変化を楽しむことが可能となる。
【０００９】
ついで、第２の発明は、上述した第１の発明において、上記記憶媒体は、特定の歳時あるいは風物を表した画像ファイルとは別に、特定の時季によらず発生するイベントに関連する静止画あるいは動画のファイルであるイベント関連画像ファイルをコンピュータ読み取り可能に記憶しているものである。また、第２の発明において、上記操作盤は、上記記憶媒体に記憶されたイベント関連画像ファイル画像ファイルのうち１つを指定する指定情報をコンテンツ用意手段に入力する操作を行うことができるように構成されている。また、第２の発明において、上記コンテンツ用意手段は、上記操作盤が操作されて上記指定情報が入力されたときには、現時点が属する時季における歳時あるいは風物を表した画像ファイルに代えて、上記指定情報によって指定されたイベント関連画像ファイルを上記記憶媒体からコンピュータ読み取りして、ディスプレイによる表示が可能なコンテンツとして用意する。
【００１０】
この第２の発明によれば、コンテンツ用意手段の操作盤に指定情報を入力することで、特定の時季によらず発生するイベントについての発光表示を適宜に行うことが可能となる。
【図面の簡単な説明】
【００１１】
【図１】第１の実施形態にかかるドアの構造が実現されたユニットドア１０を表した正面図である。
【図２】上記ユニットドア１０を表した背面図である。
【図３】上記ユニットドア１０における配線を説明するための説明図である。
【図４】図３の制御盤１８に備えられる各構成を説明するためのブロック図である。
【図５】第２の実施形態にかかるドアの構造が実現されたユニットドア２０における配線を説明するための説明図である。
【発明を実施するための形態】
【００１２】
〈第１の実施形態〉
以下に、本発明の第１の実施形態にかかるドアの構造が実現されたユニットドア１０の構成について、主に図１ないし図４を用いて説明する。なお、以下においては、ユニットドア１０の親扉１１をロックするシリンダー錠および子扉１２をロックするフランス落としなどの付随的かつ従来から用いられている構成について、その図示および詳細な説明を省略する。
【００１３】
ユニットドア１０は、図１および図２に示すように、建物９０において屋内と屋外とを繋ぐ矩形状の開口部９０Ａをふさぐように設けられるユニットドアである。このユニットドア１０は、建物９０の開口部９０Ａにはめ込むことが可能な矩形状に形成された開口枠１０Ａを備えて、この開口枠１０Ａに種々の部材（例えば後述する親扉１１および子扉１２）を取り付けた構成とされている。この構成によれば、ユニットドア１０は、その開口枠１０Ａを建物９０の開口部９０Ａにはめ込んで上記種々の部材の調整を行うだけで、建物９０における屋内と屋外との境に設けることができる。
【００１４】
ユニットドア１０の開口枠１０Ａは、その上部が屋内と屋外とを隔てる板状の小壁１０Ｂとして形成されている。また、ユニットドア１０は、その開口枠１０Ａにおける小壁１０Ｂの下側に比較的幅広の親扉１１と比較的幅狭の子扉１２とが両開きとなるように取り付けられることで、この親扉１１と子扉１２とにより開口枠１０Ａの開口をふさぐことができるようになっている。
【００１５】
親扉１１は、開口枠１０Ａにおいて側方の一方側（図１で見て右側）となる部分に３セットのちょうつがい１１Ａを介して取り付けられて、屋内と屋外とを開閉可能に隔てるようになっている。すなわち、親扉１１は、本発明における「扉板」に相当する。なお、本実施形態においては、ちょうつがい１１Ａは、屋内側および屋外側のいずれに親扉１１を押してもこの親扉１１を開けることができるように構成されている。
【００１６】
子扉１２は、開口枠１０Ａにおいて親扉１１とは反対側（図１で見て左側）となる他方側の部分に３セットのちょうつがい１２Ａを介して取り付けられて、屋内と屋外とを開閉可能に隔てるようになっている。また、子扉１２は、図示しないフランス落としによって閉じられた状態にロックされることで、親扉１１が閉じられた際にこの親扉１１に隣接され、この親扉１１と一緒に屋内と屋外とを隔てるようになっている。すなわち、子扉１２は、本発明における「隣接体」に相当する。なお、本実施形態においては、ちょうつがい１２Ａは、子扉１２がロックされていない状態において、この子扉１２を屋内側および屋外側のいずれの側に向けても押し開けることができるように構成されている。
【００１７】
親扉１１には、図３に示すように、後述するＬＥＤライト１１Ｂ、ソーラーパネル１３、電源装置１４、および、制御盤１８が設けられている。また、親扉１１および子扉１２において、親扉１１を閉じた際に互いに隣接される各縁部には、この各縁部にまたがるように直流駆動式のマグネットアラーム１９が屋内側から取り付けられている。このマグネットアラーム１９は、親扉１１に取り付けられる本体部１９Ａと子扉１２に取り付けられるマグネット１９Ｂとが別体に構成されて、親扉１１が開けられて本体部１９Ａとマグネット１９Ｂとが互いに離間されると、そのことを本体部１９Ａが感知して音を出すように構成されている。
【００１８】
ソーラーパネル１３は、図１に示すように、親扉１１において屋外側となる面に設けられて、この屋外の光を受けて直流の電力を発電するようになっている。また、電源装置１４は、図３に示すように、ソーラーパネル１３に対してチャージコントローラ１４Ｃを介して接続された充電電池１４Ａを有して、この充電電池１４Ａにソーラーパネル１３が発電した電気を充電させるようになっている。なお、充電電池１４Ａには、この充電電池１４Ａにおける容量が不足する場合に、この不足する容量を補う充電電池である充電電池１４Ｂが接続されている。
【００１９】
また、電源装置１４のチャージコントローラ１４Ｃは、インバータ１４Ｄおよび制御盤１８が接続されることで、充電電池１４Ａに充電された電力をインバータ１４Ｄおよび制御盤１８のそれぞれに供給することができるようになっている。この構成により、電源装置１４は、図４に示すように、ソーラーパネル１３が発電した電気エネルギー１３Ａを、一度蓄電した後に制御盤１８の各構成に供給することができるようになっている。すなわち、電源装置１４は、本発明における「バッテリー」に相当する。なお、インバータ１４Ｄは、ソーラーパネル１３が発電した直流の電力に余剰がある場合に、この余剰の電力を交流の電力に変換して親扉１１の屋内側に設けられた電源コンセント１４Ｅ（図３参照）から取り出すことを可能とするものである。
【００２０】
なお、上述した電源装置１４の各構成は、図２および図３に示すように、それぞれが薄板状に形成されることで親扉１１に内蔵され、開閉可能なアクセスドア１４Ｆにより屋内側から覆われるようになっている。このアクセスドア１４Ｆには、図２に示すように、電源装置１４における充放電に伴って生じる熱を逃がすための複数本のスリット１４Ｇが、それぞれ上下方向に延びるように設けられている。
【００２１】
制御盤１８は、親扉１１に内蔵されて、開閉可能なアクセスドア１８Ｄにより屋内側から覆われるようになっている。また、制御盤１８には、図３に示すように、所定数（例えば３個）のＬＥＤライト１１Ｂおよびマグネットアラーム１９の本体部１９Ａが直列に接続されている。ここで、各ＬＥＤライト１１Ｂは、直流駆動式の白色発光ダイオードを複数個組み合わせて白色光源としたものであり、図１および図２に示すように、屋内側および屋外側の両側に向けて白色光を放つことができるように配設されている。
【００２２】
なお、電源装置１４および制御盤１８は、図２および図３に示すように、それぞれ親扉１１においてちょうつがい１１Ａと隣りあう位置に内蔵されている。この構成によれば、電源装置１４および制御盤１８の重量によりちょうつがい１１Ａにかかる負担を減らして、この負担による親扉１１の建て付けの悪化を抑えることができる。
【００２３】
また、制御盤１８には、図３に示すように、開口枠１０Ａの側縁部および小壁１０Ｂに沿って延ばされた配線１８Ｅを介してディスプレイ１５が接続されている。このディスプレイ１５は、図１に示すように、子扉１２において屋外側に露見される位置に設けられて、屋外側に向けてコンテンツ１５Ａを発光表示することができる液晶ディスプレイである。また、ディスプレイ１５の上縁部には、屋外の照度を検知するセンサー１５Ｂがディスプレイ１５と一体化された状態に設けられている。
【００２４】
ここで、制御盤１８に備えられる各構成について、主に図４を用いて説明する。制御盤１８には、制御手段１８Ａと、コンテンツ用意手段１８Ｂと、電子カレンダー１８Ｃと、記憶媒体１６とが備えられている。
【００２５】
電子カレンダー１８Ｃは、電源装置１４に蓄電された電気エネルギー１３Ａの供給を受けて、この電気エネルギー１３Ａを使用して現時点における日時の情報１８Ｆを常時コンテンツ用意手段１８Ｂに出力するようになっている。ここで、日時の情報１８Ｆは、グレゴリオ暦による年月日ならびに曜日の情報、および、旧暦による月日ならびに節気の情報を含むものである。
【００２６】
記憶媒体１６には、それぞれが特定の歳時あるいは風物を表した複数の画像ファイル１６Ａが、各画像ファイル１６Ａが表す歳時あるいは風物の時季の情報１６Ｂと対応された状態でコンピュータ読み取り可能に記憶されている。なお、各画像ファイル１６Ａは、例えばＪＰＥＧなどの静止画の画像ファイルであっても、例えばＧＩＦアニメーションなどの動画の画像ファイルであってもよい。
【００２７】
ここで、記憶媒体１６に記憶されている各画像ファイル１６Ａに対応される時季の情報１６Ｂの期間は、それぞれが重複することなく、かつ、全体としてグレゴリオ暦による１年の全ての日を漏れなくカバーするように設定されている。また、上記各時季の情報１６Ｂの期間は、それぞれグレゴリオ暦による各月をまたぐことがないように決定されて、この各月のいずれかに属するように設定されている。
【００２８】
具体的には、記憶媒体１６には、画像ファイル１６Ａとして新年の挨拶を表した画像ファイルが記憶され、この画像ファイルには時季の情報１６Ｂとして正月三が日（グレゴリオ暦による１月１日から１月３日までの期間）が設定されている。また、記憶媒体１６には、画像ファイル１６Ａとして成人式を表した画像ファイルが記憶され、この画像ファイルには時季の情報１６Ｂとして成人の日（グレゴリオ暦による１月の第２月曜日）が設定されている。また、記憶媒体１６には、画像ファイル１６Ａとして鏡餅を表した画像ファイルが記憶され、この画像ファイルには時季の情報１６Ｂとしてグレゴリオ暦による１月４日から１月３１日までの期間のうち成人の日を除いた期間が設定されている。
【００２９】
また、記憶媒体１６には、画像ファイル１６Ａとして鬼と福豆とを表した画像ファイルが記憶され、この画像ファイルには時季の情報１６Ｂとして立春の節気の前日となる節分の日が設定されている。また、記憶媒体１６には、画像ファイル１６Ａとしてラッピングされたチョコレートを表した画像ファイルが記憶され、この画像ファイルには時季の情報１６Ｂとして聖バレンタインの日（グレゴリオ暦による２月１４日の日）が設定されている。また、記憶媒体１６には、画像ファイル１６Ａとして恵方巻きを表した画像ファイルが記憶され、この画像ファイルには、グレゴリオ暦による２月の期間のうち、立春の節気の前日となる節分の日および聖バレンタインの日を除いた期間が時季の情報１６Ｂとして設定されている。
【００３０】
また、記憶媒体１６には、画像ファイル１６Ａとして内裏雛を表した画像ファイルが記憶され、この画像ファイルには時季の情報１６Ｂとしてグレゴリオ暦による３月３日の日が設定されている。また、記憶媒体１６には、画像ファイル１６Ａとして卒業式を表した画像ファイルが記憶され、この画像ファイルには、時季の情報１６Ｂとしてグレゴリオ暦による３月１日、３月２日、３月４日、３月５日、３月６日、３月７日、３月８日、３月９日、３月１０日、３月１１日、３月１２日、３月１３日の各日が設定されている。また、記憶媒体１６には、画像ファイル１６Ａとして卒業アルバムを表した画像ファイルが記憶され、この画像ファイルには時季の情報１６Ｂとしてグレゴリオ暦による３月１５日から３月３１日までの期間が設定されている。
【００３１】
また、記憶媒体１６には、画像ファイル１６Ａとして入学式を表した画像ファイルが記憶され、この画像ファイルには時季の情報１６Ｂとしてグレゴリオ暦による４月１日から４月９日までの期間が設定されている。また、記憶媒体１６には、画像ファイル１６Ａとして新入生を表した画像ファイルが記憶され、この画像ファイルには時季の情報１６Ｂとしてグレゴリオ暦による４月１０日から４月１６日までの期間が設定されている。また、記憶媒体１６には、画像ファイル１６Ａとしてチューリップを表した画像ファイルが記憶され、この画像ファイルには時季の情報１６Ｂとしてグレゴリオ暦による４月１７日から４月２３日までの期間が設定されている。また、記憶媒体１６には、画像ファイル１６Ａとしてツバメを表した画像ファイルが記憶され、この画像ファイルには時季の情報１６Ｂとしてグレゴリオ暦による４月２４日から４月３０日までの期間が設定されている。
【００３２】
また、記憶媒体１６には、画像ファイル１６Ａとしてこいのぼりを表した画像ファイルが記憶され、この画像ファイルには時季の情報１６Ｂとしてこどもの日（グレゴリオ暦による５月５日の日）が設定されている。また、記憶媒体１６には、画像ファイル１６Ａとしてカーネーションを表した画像ファイルが記憶され、この画像ファイルには時季の情報１６Ｂとして母の日（グレゴリオ暦による５月の第２日曜日）が設定されている。また、記憶媒体１６には、画像ファイル１６Ａとして兜飾りを表した画像ファイルが記憶され、この画像ファイルには、グレゴリオ暦による５月の期間のうち、こどもの日および母の日を除いた期間が時季の情報１６Ｂとして設定されている。
【００３３】
また、記憶媒体１６には、画像ファイル１６Ａとしてアジサイを表した画像ファイルが記憶され、この画像ファイルには時季の情報１６Ｂとしてグレゴリオ暦による６月１日から６月７日までの期間が設定されている。また、記憶媒体１６には、画像ファイル１６Ａとしててるてるぼうずを表した画像ファイルが記憶され、この画像ファイルには時季の情報１６Ｂとしてグレゴリオ暦による６月８日から６月１４日までの期間が設定されている。また、記憶媒体１６には、画像ファイル１６Ａとして中年男性を表した画像ファイルが記憶され、この画像ファイルには時季の情報１６Ｂとして父の日（グレゴリオ暦による６月の第３日曜日）が設定されている。また、記憶媒体１６には、画像ファイル１６Ａとして傘をさしている状態を表した画像ファイルが記憶され、この画像ファイルには時季の情報１６Ｂとしてグレゴリオ暦による６月２３日から６月３０日までの期間が設定されている。また、記憶媒体１６には、画像ファイル１６Ａとして閉じた傘を表した画像ファイルが記憶され、この画像ファイルには、グレゴリオ暦による６月１５日から６月２２日までの期間のうち、父の日を除いた期間が時季の情報１６Ｂとして設定されている。
【００３４】
また、記憶媒体１６には、画像ファイル１６Ａとして笹飾りを表した画像ファイルが記憶され、この画像ファイルには時季の情報１６Ｂとしてグレゴリオ暦による７月７日の日が設定されている。また、記憶媒体１６には、画像ファイル１６Ａとして海水浴を表した画像ファイルが記憶され、この画像ファイルには時季の情報１６Ｂとして海の日（グレゴリオ暦による７月の第３月曜日）が設定されている。また、記憶媒体１６には、画像ファイル１６Ａとして手持ち花火を表した画像ファイルが記憶され、この画像ファイルには、グレゴリオ暦による７月１日から海の日の前日までの期間のうち、７月７日を除いた期間が時季の情報１６Ｂとして設定されている。また、記憶媒体１６には、画像ファイル１６Ａとしてスイカを表した画像ファイルが記憶され、この画像ファイルには、海の日の翌日からグレゴリオ暦による７月３１日までの期間が時季の情報１６Ｂとして設定されている。
【００３５】
また、記憶媒体１６には、画像ファイル１６Ａとしてヒマワリを表した画像ファイルが記憶され、この画像ファイルには時季の情報１６Ｂとしてグレゴリオ暦による８月１日から８月６日までの期間が設定されている。また、記憶媒体１６には、画像ファイル１６Ａとして虫取りを表した画像ファイルが記憶され、この画像ファイルには時季の情報１６Ｂとしてグレゴリオ暦による８月７日から８月１２日までの期間が設定されている。また、記憶媒体１６には、画像ファイル１６Ａとして打ち上げ花火を表した画像ファイルが記憶され、この画像ファイルには時季の情報１６Ｂとしてグレゴリオ暦による８月１３日から８月１８日までの期間が設定されている。また、記憶媒体１６には、画像ファイル１６Ａとしてカブトムシを表した画像ファイルが記憶され、この画像ファイルには時季の情報１６Ｂとしてグレゴリオ暦による８月１９日から８月２４日までの期間が設定されている。また、記憶媒体１６には、画像ファイル１６Ａとしてアサガオを表した画像ファイルが記憶され、この画像ファイルには時季の情報１６Ｂとしてグレゴリオ暦による８月２５日から８月３１日までの期間が設定されている。
【００３６】
また、記憶媒体１６には、画像ファイル１６Ａとしてコスモスを表した画像ファイルが記憶され、この画像ファイルには時季の情報１６Ｂとしてグレゴリオ暦による９月１日から９月１５日までの期間のうち、旧暦による８月１５日から８月１６日までの期間を除いた期間が設定されている。また、記憶媒体１６には、画像ファイル１６Ａとしてどんぐりを表した画像ファイルが記憶され、この画像ファイルには時季の情報１６Ｂとしてグレゴリオ暦による９月１６日から９月３０日までの期間のうち、旧暦による８月１５日から８月１６日までの期間を除いた期間が設定されている。また、記憶媒体１６には、画像ファイル１６Ａとして満月と月見だんごとを表した画像ファイルが記憶され、この画像ファイルには、グレゴリオ暦では９月となり、旧暦では８月１５日となる日が時季の情報１６Ｂとして設定されている。ここで、旧暦による８月１５日の日がグレゴリオ暦では９月とならない年（例えばグレゴリオ暦２０１７年）においては、上記満月と月見だんごとを表した画像ファイル１６Ａについての時季の情報１６Ｂは「存在しない」と設定される。また、記憶媒体１６には、画像ファイル１６Ａとして月見を表した画像ファイルが記憶され、この画像ファイルには時季の情報１６Ｂとしてグレゴリオ暦では９月となり、旧暦では８月１６日となる日が設定されている。ここで、旧暦による８月１６日の日がグレゴリオ暦では９月とならない年（例えばグレゴリオ暦２０１７年）においては、上記月見を表した画像ファイル１６Ａについての時季の情報１６Ｂは「存在しない」と設定される。
【００３７】
また、記憶媒体１６には、画像ファイル１６Ａとして運動会を表した画像ファイルが記憶され、この画像ファイルには時季の情報１６Ｂとして体育の日（グレゴリオ暦による１０月の第２月曜日）が設定されている。また、記憶媒体１６には、画像ファイル１６Ａとして柿を表した画像ファイルが記憶され、この画像ファイルにはグレゴリオ暦による１０月１日から１０月１５日までの期間のうち、平日となる各日が時季の情報１６Ｂとして設定されている。ここで、本明細書において、「平日」とは、グレゴリオ暦による曜日が月曜日、火曜日、水曜日、木曜日、金曜日のいずれかであり、かつ、日本国における国民の祝日（例えばグレゴリオ暦による１０月の期間では体育の日）でない日のことをいう。また、記憶媒体１６には、画像ファイル１６Ａとして開いた状態の本を表した画像ファイルが記憶され、この画像ファイルには時季の情報１６Ｂとしてグレゴリオ暦による１０月１６日から１０月３０日までの期間のうち、平日となる各日が設定されている。また、記憶媒体１６には、画像ファイル１６Ａとして秋祭りを表した画像ファイルが記憶され、この画像ファイルには時季の情報１６Ｂとしてグレゴリオ暦による１０月１日から１０月３０日までの期間のうち、グレゴリオ暦による曜日が土曜日または日曜日となる各日が設定されている。また、記憶媒体１６には、画像ファイル１６Ａとしてジャック・オー・ランタンを表した画像ファイルが記憶され、この画像ファイルには時季の情報１６Ｂとしてハロウィーン（グレゴリオ暦による１０月３１日の日）が設定されている。
【００３８】
また、記憶媒体１６には、画像ファイル１６Ａとしてきのこを表した画像ファイルが記憶され、この画像ファイルには時季の情報１６Ｂとしてグレゴリオ暦による１１月１日から１１月１４日までの期間が設定されている。また、記憶媒体１６には、画像ファイル１６Ａとして七五三を表した画像ファイルが記憶され、この画像ファイルには時季の情報１６Ｂとしてグレゴリオ暦による１１月１５日の日が設定されている。また、記憶媒体１６には、画像ファイル１６Ａとしてサザンカを表した画像ファイルが記憶され、この画像ファイルには時季の情報１６Ｂとしてグレゴリオ暦による１１月１６日から１１月３０日までの期間が設定されている。
【００３９】
また、記憶媒体１６には、画像ファイル１６Ａとしてクリスマスツリーを表した画像ファイル（図１の画像ファイル１６Ａを参照）が記憶され、この画像ファイルには時季の情報１６Ｂとしてクリスマス前の２４日間（グレゴリオ暦による１２月１日から１２月２４日までの期間）が設定されている。また、記憶媒体１６には、画像ファイル１６Ａとしてサンタクロースを表した画像ファイルが記憶され、この画像ファイルには時季の情報１６Ｂとしてクリスマス（グレゴリオ暦による１２月２５日の日）が設定されている。また、記憶媒体１６には、画像ファイル１６Ａとして大掃除を表した画像ファイルが記憶され、この画像ファイルには時季の情報１６Ｂとしてグレゴリオ暦による１２月２６日から１２月３０日までの期間が設定されている。また、記憶媒体１６には、画像ファイル１６Ａとして除夜の鐘を表した画像ファイルが記憶され、この画像ファイルには時季の情報１６Ｂとして大晦日（グレゴリオ暦による１２月３１日の日）が設定されている。
【００４０】
また、記憶媒体１６には、上述した各画像ファイル１６Ａとは別に、それぞれが誕生日に関連する事物を表した複数の画像ファイル１６Ｃが、１から始まる通し番号がつけられた状態でコンピュータ読み取り可能に記憶されている。本実施形態においては、記憶媒体１６には、画像ファイル１６Ｃとしてバースデーカードを表した画像ファイルおよびバースデーケーキを表した画像ファイルの２つの画像ファイルが記憶され、それぞれ１番と２番の通し番号がつけられている。なお、各画像ファイル１６Ｃは、例えばＪＰＥＧなどの静止画の画像ファイルであっても、例えばＧＩＦアニメーションなどの動画の画像ファイルであってもよい。
【００４１】
コンテンツ用意手段１８Ｂは、図４に示すように、電源装置１４に蓄電された電気エネルギー１３Ａの供給を受けて、この電気エネルギー１３Ａを使用して電子カレンダー１８Ｃから出力される現時点の日時の情報１８Ｆを取得する。また、コンテンツ用意手段１８Ｂは、上記電気エネルギー１３Ａを使用して記憶媒体１６に複数記憶されている時季の情報１６Ｂをコンピュータ読み取りし、各時季の情報１６Ｂのうち現時点が該当する時季の情報１６Ｂを１つ抽出する。そして、コンテンツ用意手段１８Ｂは、上記電気エネルギー１３Ａを使用して、抽出した時季の情報１６Ｂに対応する画像ファイル１６Ａを記憶媒体１６からコンピュータ読み取りし、コンピュータ読み取りされた画像ファイル１６Ａからディスプレイ１５による表示が可能なコンテンツ１５Ａ（図１参照）を生成する。言いかえると、コンテンツ用意手段１８Ｂは、現時点が属する時季における歳時あるいは風物を表した画像ファイル１６Ａを、記憶媒体１６からコンピュータ読み取りしてディスプレイ１５による表示が可能なコンテンツ１５Ａとして用意する。なお、コンテンツ用意手段１８Ｂは、上記一連の処理を常時繰り返して行う第１のモードと、上記一連の処理が停止された第２のモードとに切り替えることができるようになっている。
【００４２】
制御手段１８Ａは、図４に示すように、電源装置１４に蓄電された電気エネルギー１３Ａの供給を受けて、この電気エネルギー１３Ａを使用して、現時点が昼であるか夜であるかの判定を常時行うようになっている。具体的には、制御手段１８Ａは、制御盤１８とディスプレイ１５とを接続する配線１８Ｅ（図３参照）を介して、上記電気エネルギー１３Ａの一部をセンサー１５Ｂ（図１参照）に常時供給し、このセンサー１５Ｂが検知する検知照度１５Ｃを常時取得する。また、制御手段１８Ａは、現時点において取得された検知照度１５Ｃと所定の基準照度とを比較して、この基準照度のほうがより明るい場合には現時点は夜であるとし、検知照度１５Ｃのほうがより明るい場合には現時点は昼であるとする判定を常時行う。
【００４３】
ここで、制御手段１８Ａは、現時点が夜であると判定しているときに、上記電気エネルギー１３Ａを使用して、現時点において用意されているコンテンツ１５Ａを取得する。そして、制御手段１８Ａは、取得したコンテンツ１５Ａを上記電気エネルギー１３Ａの一部と一緒にディスプレイ１５に送ることで、このディスプレイ１５にコンテンツ１５Ａを表示させる制御を行う。なお、制御手段１８Ａは、上記ディスプレイ１５に電気エネルギー１３Ａを送る際に、ＬＥＤライト１１Ｂおよびマグネットアラーム１９にも電気エネルギー１３Ａを供給することで、ＬＥＤライト１１Ｂの発光およびマグネットアラーム１９の駆動を実現させる。
【００４４】
上述した各構成によれば、昼間にはソーラーパネル１３が屋外の光を受けて発電する電気エネルギー１３Ａが電源装置１４に蓄電され、夜間には電源装置１４に蓄電された電気エネルギー１３Ａを使用して屋外への発光表示が行われる。また、現時点における歳時あるいは風物を表した画像ファイル１６Ａをコンテンツ１５Ａとしてディスプレイ１５に表示させることで、発光表示の内容を時季の移り変わりに応じて自動的に切り替えてその変化を楽しむことができる。また、ソーラーパネル１３が設けられる親扉１１に隣接される子扉１２にディスプレイ１５を設ける構成によれば、親扉１１におけるソーラーパネル１３の受光面積がディスプレイ１５によって制約されることを回避することができる。これにより、ソーラーパネル１３の受光面積を広く確保してこのソーラーパネル１３の発電量を増やし、夜間における発光表示に必要な電気エネルギー１３Ａを十分に確保することができる。また、ディスプレイ１５を液晶ディスプレイとして夜間だけ発光表示を行わせる構成によれば、ディスプレイ１５において、長時間表示されていたコンテンツ１５Ａの残像が、表示されるコンテンツ１５Ａが切り替わった後も残る焼きつき現象の発生を抑えることができる。
【００４５】
ところで、ディスプレイ１５の下縁部には、図１に示すように、１２個の月指定スイッチ１７Ａ、１個の誕生日スイッチ１７Ｂ、および、１個の自動スイッチ１７Ｃという３種類の押しボタンスイッチを有する操作盤１７がディスプレイ１５と一体化された状態に設けられている。ここで、誕生日スイッチ１７Ｂには「誕生日スイッチ」の言葉が、１個の自動スイッチ１７Ｃには「自動スイッチ」の言葉が、それぞれ添えられることで、それぞれのスイッチを明りょうに識別できるようになっている。また、１２個の月指定スイッチ１７Ａは、それぞれ１から１２までの数字が彫りこまれたダブルアクションスイッチであり、それぞれに「月」の字が添えられることで、グレゴリオ暦の１年における１月から１２月までの各月に対応されるようになっている。なお、本明細書において、「ダブルアクションスイッチ」とは、スイッチを軽く押す半押しと、スイッチを強く押し込む全押しとで異なる動作結果を生じる押しボタンスイッチのことをいう。
【００４６】
操作盤１７は、図４に示すように、ディスプレイ１５に供給される電気エネルギー１３Ａの一部を使用して駆動され、上記各スイッチの操作に応じて選択情報１７Ｄ、切り替え信号１７Ｅ、あるいは、指定情報１７Ｆをコンテンツ用意手段１８Ｂに出力するようになっている。ここで、切り替え信号１７Ｅは、自動スイッチ１７Ｃが押されたときに操作盤１７からコンテンツ用意手段１８Ｂに出力されて、このコンテンツ用意手段１８Ｂを上述した第２のモードから上述した第１のモードに切り替える信号である。すなわち、コンテンツ用意手段１８Ｂは、切り替え信号１７Ｅが入力されたときには、現時点が属する時季における歳時あるいは風物を表した画像ファイル１６Ａをコンテンツ１５Ａとして用意して、このコンテンツ１５Ａの発光表示を実現させる。なお、コンテンツ用意手段１８Ｂが既に上記第１のモードとなっている場合、切り替え信号１７Ｅはコンテンツ用意手段１８Ｂに対して何の作用も及ぼさない。
【００４７】
また、選択情報１７Ｄは、１２個の月指定スイッチ１７Ａのいずれかが全押しされたときに操作盤１７からコンテンツ用意手段１８Ｂに出力される情報であり、記憶媒体１６に記憶された複数の画像ファイル１６Ａのうち１つを選択する情報である。この選択において、画像ファイル１６Ａは、対応される時季の情報１６Ｂが、全押しされる月指定スイッチ１７Ａに対応される月に属する各画像ファイル１６Ａの中から選択される。また、この各画像ファイル１６Ａのうちどの画像ファイル１６Ａが選択されるかは、月指定スイッチ１７Ａを全押しする前にこの月指定スイッチ１７Ａを何回半押ししたかによって決定される。
【００４８】
具体的には、各月指定スイッチ１７Ａのうち１月に対応される月指定スイッチ１７Ａを半押しすることなく全押しした場合、選択情報１７Ｄにおいて選択される画像ファイル１６Ａは、上述した新年の挨拶を表した画像ファイルとされる。また、上記１月に対応される月指定スイッチ１７Ａを全押しする前に１回半押しした場合、選択情報１７Ｄにおいて選択される画像ファイル１６Ａは、上述した成人式を表した画像ファイルとされる。また、上記１月に対応される月指定スイッチ１７Ａを全押しする前に２回以上半押しした場合、選択情報１７Ｄにおいて選択される画像ファイル１６Ａは、上述した鏡餅を表した画像ファイルとされる。
【００４９】
また、各月指定スイッチ１７Ａのうち２月に対応される月指定スイッチ１７Ａを半押しすることなく全押しした場合、選択情報１７Ｄにおいて選択される画像ファイル１６Ａは、上述した鬼と福豆とを表した画像ファイルとされる。また、上記２月に対応される月指定スイッチ１７Ａを全押しする前に１回半押しした場合、選択情報１７Ｄにおいて選択される画像ファイル１６Ａは、上述したラッピングされたチョコレートを表した画像ファイルとされる。また、上記２月に対応される月指定スイッチ１７Ａを全押しする前に２回以上半押しした場合、選択情報１７Ｄにおいて選択される画像ファイル１６Ａは、上述した恵方巻きを表した画像ファイルとされる。
【００５０】
また、各月指定スイッチ１７Ａのうち３月に対応される月指定スイッチ１７Ａを半押しすることなく全押しした場合、選択情報１７Ｄにおいて選択される画像ファイル１６Ａは、上述した内裏雛を表した画像ファイルとされる。また、上記３月に対応される月指定スイッチ１７Ａを全押しする前に１回半押しした場合、選択情報１７Ｄにおいて選択される画像ファイル１６Ａは、上述した卒業式を表した画像ファイルとされる。また、上記３月に対応される月指定スイッチ１７Ａを全押しする前に２回以上半押しした場合、選択情報１７Ｄにおいて選択される画像ファイル１６Ａは、上述した卒業アルバムを表した画像ファイルとされる。
【００５１】
また、各月指定スイッチ１７Ａのうち４月に対応される月指定スイッチ１７Ａを半押しすることなく全押しした場合、選択情報１７Ｄにおいて選択される画像ファイル１６Ａは、上述した入学式を表した画像ファイルとされる。また、上記４月に対応される月指定スイッチ１７Ａを全押しする前に１回半押しした場合、選択情報１７Ｄにおいて選択される画像ファイル１６Ａは、上述した新入生を表した画像ファイルとされる。また、上記４月に対応される月指定スイッチ１７Ａを全押しする前に２回半押しした場合、選択情報１７Ｄにおいて選択される画像ファイル１６Ａは、上述したチューリップを表した画像ファイルとされる。また、上記４月に対応される月指定スイッチ１７Ａを全押しする前に３回以上半押しした場合、選択情報１７Ｄにおいて選択される画像ファイル１６Ａは、上述したツバメを表した画像ファイルとされる。
【００５２】
また、各月指定スイッチ１７Ａのうち５月に対応される月指定スイッチ１７Ａを半押しすることなく全押しした場合、選択情報１７Ｄにおいて選択される画像ファイル１６Ａは、上述したこいのぼりを表した画像ファイルとされる。また、上記５月に対応される月指定スイッチ１７Ａを全押しする前に１回半押しした場合、選択情報１７Ｄにおいて選択される画像ファイル１６Ａは、上述したカーネーションを表した画像ファイルとされる。また、上記５月に対応される月指定スイッチ１７Ａを全押しする前に２回以上半押しした場合、選択情報１７Ｄにおいて選択される画像ファイル１６Ａは、上述した兜飾りを表した画像ファイルとされる。
【００５３】
また、各月指定スイッチ１７Ａのうち６月に対応される月指定スイッチ１７Ａを半押しすることなく全押しした場合、選択情報１７Ｄにおいて選択される画像ファイル１６Ａは、上述したアジサイを表した画像ファイルとされる。また、上記６月に対応される月指定スイッチ１７Ａを全押しする前に１回半押しした場合、選択情報１７Ｄにおいて選択される画像ファイル１６Ａは、上述したてるてるぼうずを表した画像ファイルとされる。また、上記６月に対応される月指定スイッチ１７Ａを全押しする前に２回半押しした場合、選択情報１７Ｄにおいて選択される画像ファイル１６Ａは、上述した中年男性を表した画像ファイルとされる。また、上記６月に対応される月指定スイッチ１７Ａを全押しする前に３回半押しした場合、選択情報１７Ｄにおいて選択される画像ファイル１６Ａは、上述した傘をさしている状態を表した画像ファイルとされる。また、上記６月に対応される月指定スイッチ１７Ａを全押しする前に４回以上半押しした場合、選択情報１７Ｄにおいて選択される画像ファイル１６Ａは、上述した閉じた傘を表した画像ファイルとされる。
【００５４】
また、各月指定スイッチ１７Ａのうち７月に対応される月指定スイッチ１７Ａを半押しすることなく全押しした場合、選択情報１７Ｄにおいて選択される画像ファイル１６Ａは、上述した笹飾りを表した画像ファイルとされる。また、上記７月に対応される月指定スイッチ１７Ａを全押しする前に１回半押しした場合、選択情報１７Ｄにおいて選択される画像ファイル１６Ａは、上述した海水浴を表した画像ファイルとされる。また、上記７月に対応される月指定スイッチ１７Ａを全押しする前に２回半押しした場合、選択情報１７Ｄにおいて選択される画像ファイル１６Ａは、上述した手持ち花火を表した画像ファイルとされる。また、上記７月に対応される月指定スイッチ１７Ａを全押しする前に３回以上半押しした場合、選択情報１７Ｄにおいて選択される画像ファイル１６Ａは、上述したスイカを表した画像ファイルとされる。
【００５５】
また、各月指定スイッチ１７Ａのうち８月に対応される月指定スイッチ１７Ａを半押しすることなく全押しした場合、選択情報１７Ｄにおいて選択される画像ファイル１６Ａは、上述したヒマワリを表した画像ファイルとされる。また、上記８月に対応される月指定スイッチ１７Ａを全押しする前に１回半押しした場合、選択情報１７Ｄにおいて選択される画像ファイル１６Ａは、上述した虫取りを表した画像ファイルとされる。また、上記８月に対応される月指定スイッチ１７Ａを全押しする前に２回半押しした場合、選択情報１７Ｄにおいて選択される画像ファイル１６Ａは、上述した打ち上げ花火を表した画像ファイルとされる。また、上記８月に対応される月指定スイッチ１７Ａを全押しする前に３回半押しした場合、選択情報１７Ｄにおいて選択される画像ファイル１６Ａは、上述したカブトムシを表した画像ファイルとされる。また、上記８月に対応される月指定スイッチ１７Ａを全押しする前に４回以上半押しした場合、選択情報１７Ｄにおいて選択される画像ファイル１６Ａは、上述したアサガオを表した画像ファイルとされる。
【００５６】
また、各月指定スイッチ１７Ａのうち９月に対応される月指定スイッチ１７Ａを半押しすることなく全押しした場合、選択情報１７Ｄにおいて選択される画像ファイル１６Ａは、上述したコスモスを表した画像ファイルとされる。また、上記９月に対応される月指定スイッチ１７Ａを全押しする前に１回半押しした場合、選択情報１７Ｄにおいて選択される画像ファイル１６Ａは、上述したどんぐりを表した画像ファイルとされる。また、上記９月に対応される月指定スイッチ１７Ａを全押しする前に２回半押しした場合、選択情報１７Ｄにおいて選択される画像ファイル１６Ａは、上述した満月と月見だんごとを表した画像ファイルとされる。また、上記９月に対応される月指定スイッチ１７Ａを全押しする前に３回以上半押しした場合、選択情報１７Ｄにおいて選択される画像ファイル１６Ａは、上述した月見を表した画像ファイルとされる。
【００５７】
また、各月指定スイッチ１７Ａのうち１０月に対応される月指定スイッチ１７Ａを半押しすることなく全押しした場合、選択情報１７Ｄにおいて選択される画像ファイル１６Ａは、上述した運動会を表した画像ファイルとされる。また、上記１０月に対応される月指定スイッチ１７Ａを全押しする前に１回半押しした場合、選択情報１７Ｄにおいて選択される画像ファイル１６Ａは、上述した柿を表した画像ファイルとされる。また、上記１０月に対応される月指定スイッチ１７Ａを全押しする前に２回半押しした場合、選択情報１７Ｄにおいて選択される画像ファイル１６Ａは、上述した開いた状態の本を表した画像ファイルとされる。また、上記１０月に対応される月指定スイッチ１７Ａを全押しする前に３回半押しした場合、選択情報１７Ｄにおいて選択される画像ファイル１６Ａは、上述した秋祭りを表した画像ファイルとされる。また、上記１０月に対応される月指定スイッチ１７Ａを全押しする前に４回以上半押しした場合、選択情報１７Ｄにおいて選択される画像ファイル１６Ａは、上述したジャック・オー・ランタンを表した画像ファイルとされる。
【００５８】
また、各月指定スイッチ１７Ａのうち１１月に対応される月指定スイッチ１７Ａを半押しすることなく全押しした場合、選択情報１７Ｄにおいて選択される画像ファイル１６Ａは、上述したきのこを表した画像ファイルとされる。また、上記１１月に対応される月指定スイッチ１７Ａを全押しする前に１回半押しした場合、選択情報１７Ｄにおいて選択される画像ファイル１６Ａは、上述した七五三を表した画像ファイルとされる。また、上記１１月に対応される月指定スイッチ１７Ａを全押しする前に２回以上半押しした場合、選択情報１７Ｄにおいて選択される画像ファイル１６Ａは、上述したサザンカを表した画像ファイルとされる。
【００５９】
また、各月指定スイッチ１７Ａのうち１２月に対応される月指定スイッチ１７Ａを半押しすることなく全押しした場合、選択情報１７Ｄにおいて選択される画像ファイル１６Ａは、上述したクリスマスツリーを表した画像ファイルとされる。また、上記１２月に対応される月指定スイッチ１７Ａを全押しする前に１回半押しした場合、選択情報１７Ｄにおいて選択される画像ファイル１６Ａは、上述したサンタクロースを表した画像ファイルとされる。また、上記１２月に対応される月指定スイッチ１７Ａを全押しする前に２回半押しした場合、選択情報１７Ｄにおいて選択される画像ファイル１６Ａは、上述した大掃除を表した画像ファイルとされる。また、上記１２月に対応される月指定スイッチ１７Ａを全押しする前に３回以上半押しした場合、選択情報１７Ｄにおいて選択される画像ファイル１６Ａは、上述した除夜の鐘を表した画像ファイルとされる。
【００６０】
指定情報１７Ｆは、誕生日スイッチ１７Ｂが押されたときに操作盤１７からコンテンツ用意手段１８Ｂに出力される情報であり、記憶媒体１６に記憶された複数の画像ファイル１６Ｃのうち１つを指定する情報である。ここで、選択情報１７Ｄにおいて指定される画像ファイル１６Ｃは、誕生日スイッチ１７Ｂを押すたびに通し番号の順に切り替えられるものである。すなわち、操作盤１７が駆動されてから最初に誕生日スイッチ１７Ｂが押された場合、指定情報１７Ｆにおいて指定される画像ファイル１６Ｃは、１番の通し番号がつけられた画像ファイル（上述したバースデーカードを表した画像ファイル）とされる。また、前回ａ番（ａは自然数）の通し番号がつけられた画像ファイルが指定情報１７Ｆにおいて指定されていた場合、誕生日スイッチ１７Ｂが押されたときに指定情報１７Ｆにおいて指定される画像ファイル１６Ｃは、ａ＋１番の通し番号がつけられた画像ファイルとされる。ただし、記憶媒体１６に記憶された画像ファイル１６Ｃの中にａ＋１番の通し番号がつけられたものが存在しない場合、指定情報１７Ｆにおいて指定される画像ファイル１６Ｃは、上記１番の通し番号がつけられた画像ファイルとされる。
【００６１】
さて、コンテンツ用意手段１８Ｂは、操作盤１７からの選択情報１７Ｄが入力されると、この入力の直前に上述した第１のモードであったか上述した第２のモードであったかにかかわらず、第２のモードに切り替えられた状態となる。そして、コンテンツ用意手段１８Ｂは、入力された選択情報１７Ｄにより選択される画像ファイル１６Ａを記憶媒体１６からコンピュータ読み取りして、ディスプレイ１５による表示が可能なコンテンツ１５Ａとして用意する。すなわち、コンテンツ用意手段１８Ｂは、選択情報１７Ｄが入力されたときには、現時点が属する時季における歳時あるいは風物を表した画像ファイル１６Ａに代えて、選択情報１７Ｄによって選択された画像ファイル１６Ａを記憶媒体１６からコンピュータ読み取りして、ディスプレイ１５による表示が可能なコンテンツ１５Ａとして用意するようになっている。
【００６２】
また、コンテンツ用意手段１８Ｂは、操作盤１７からの指定情報１７Ｆが入力されると、この入力の直前に上記第１のモードであったか上記第２のモードであったかにかかわらず、第２のモードに切り替えられた状態となる。そして、コンテンツ用意手段１８Ｂは、入力された指定情報１７Ｆにより指定される画像ファイル１６Ｃを記憶媒体１６からコンピュータ読み取りして、ディスプレイ１５による表示が可能なコンテンツ１５Ａとして用意する。すなわち、コンテンツ用意手段１８Ｂは、指定情報１７Ｆが入力されたときには、現時点が属する時季における歳時あるいは風物を表した画像ファイル１６Ａに代えて、指定情報１７Ｆによって指定された画像ファイル１６Ｃを記憶媒体１６からコンピュータ読み取りして、ディスプレイ１５による表示が可能なコンテンツ１５Ａとして用意するようになっている。
【００６３】
上述した各構成によれば、複数の画像ファイル１６Ａから１つを選択する選択情報１７Ｄを操作盤１７からコンテンツ用意手段１８Ｂに入力することで、夜間における発光表示の内容を手動で切り替えてその変化を楽しむことが可能となる。そして、切り替えられた発光表示の内容を楽しんだ後には、操作盤１７の自動スイッチ１７Ｃを押して切り替え信号１７Ｅをコンテンツ用意手段１８Ｂに入力することで、上記発光表示の内容の切り替えが自動的に行われる状態に戻すことができる。また、操作盤１７に１年の各月に対応された状態に設けられた月指定スイッチ１７Ａを操作することで、記憶媒体１６に記憶された複数の画像ファイル１６Ａに対して時季による絞り込みを行い、画像ファイル１６Ａの選択に必要な手間を減らすことができる。また、操作盤１７からコンテンツ用意手段１８Ｂに入力される指定情報１７Ｆによって、誕生日に関連する画像ファイル１６Ｃを指定してコンテンツ１５Ａとすることで、特定の時季によらず発生する誕生日のイベントについての発光表示を適宜に行うことができる。
【００６４】
〈第２の実施形態〉
続いて、本発明の第２の実施形態にかかるドアの構造が実現されたユニットドア２０の構成について、主に図５を用いて説明する。ここで、ユニットドア２０は、上述したユニットドア１０を変形したユニットドアである。したがって、上記ユニットドア１０の各構成と共通する構成については、この各構成に付した符号の数字に「１０」を加算した符号を付して対応させ、その詳細な説明を省略する。
【００６５】
ユニットドア２０は、図５に示すように、ユニットドア１０において親扉１１に内蔵される電源装置１４および制御盤１８（図３参照）を、それぞれ、小壁２０Ｂにおいて屋内側となる面に取り付けられる電源装置２４および制御盤２８に置き換えたものである。この構成によれば、ちょうつがい２１Ａに電源装置２４および制御盤２８の重量がかからないようにして親扉２１にかかる負担を減らし、この親扉２１の建て付けの悪化を抑えることができる。
【００６６】
電源装置２４において、充電電池２４Ａは、その厚さが親扉１１の厚さよりも厚くされることで、電源装置１４の充電電池１４Ａ（図３参照）よりも大容量とされている。このため、電源装置２４は、充電電池２４Ａにおいて不足する容量を補う充電電池を備えていない。なお、電源装置２４が備える各構成のうち、充電電池２４Ａを除く各構成は、電源装置１４において対応される各構成と同じ構成であるので、その詳細な説明を省略する。また、制御盤２８は、その取り付け位置を除いて上述した制御盤１８と同じ構成であるので、その詳細な説明を省略する。
【００６７】
ところで、ユニットドア２０は、ユニットドア１０に設けられる直流駆動式のＬＥＤライト１１Ｂおよびマグネットアラーム１９（図３参照）の代わりに、ＬＥＤライト２１Ｂおよびマグネットアラーム２９を備えている。このＬＥＤライト２１Ｂおよびマグネットアラーム２９は、それぞれが交流駆動式とされて、電源装置２４のインバータ２４Ｄに直列に接続されることで常時動作されるようになっている。なお、ＬＥＤライト２１Ｂおよびマグネットアラーム２９における配設位置および動作時の作用効果は、それぞれユニットドア１０のＬＥＤライト１１Ｂおよびマグネットアラーム１９における配設位置および動作時の作用効果と同様であるので、その詳細な説明を省略する。
【００６８】
本発明は、上述したユニットドア１０およびユニットドア２０によって説明した外観、構成に限定されず、本発明の要旨を変更しない範囲で種々の変更、追加、削除が可能である。例えば、以下のような各種の形態を実施することができる。
【００６９】
（１）本発明にかかるドアの構造は、比較的幅広の親扉と比較的幅狭の子扉とを有するユニットドアに限定されない。すなわち、上記ユニットドアにおいて、親扉と子扉とは同じ幅であってもよい。また、本発明は、例えば１枚の扉板に板状の袖パネルを隣接させたユニットドアに適用することもできる。この場合、ディスプレイを上記袖パネルに設けることで、この袖パネルを本発明における「隣接体」として機能させることができる。また、本発明は、例えば片開きの扉板１枚のみで建物の開口部を開閉可能にふさぐユニットドアに適用することもできる。この場合、ディスプレイを建物において開口部に隣接される壁に設けることで、この壁を本発明における「隣接体」として機能させることができる。また、本発明にかかるドアの構造は開口枠に種々の部材を取り付けたユニットドアに限定されず、例えば種々の部材を建物の開口部の縁部に別々に取り付けたドアの構造であってもよい。
【００７０】
（２）制御盤の制御手段は、センサーが検知する屋外の照度に基づいて昼夜の判定を行うものに限定されず、例えば電子カレンダーが出力する日時の情報を取得して、この日時の情報に基づいて現時点が昼であるか夜であるかの判定を行うものであってもよい。この場合、屋外の照度を検知するセンサーは省略することができる。
【００７１】
（３）操作盤から入力される指定情報により指定できる画像ファイルは、誕生日に関連する画像ファイルに限定する必要はなく、例えば賀寿または結婚などの慶事、あるいは、葬儀などの弔事を含む、特定の時季によらず発生する種々のイベントに関連する画像ファイルとすることができる。この場合において、操作盤の誕生日スイッチに添えられる言葉は、例えば「慶弔スイッチ」など、適宜変更することができる。
【符号の説明】
【００７２】
１０    ユニットドア（ドアの構造）
１０Ａ  開口枠
１０Ｂ  小壁
１１    親扉（扉板）
１１Ａ  ちょうつがい
１１Ｂ  ＬＥＤライト
１２    子扉（隣接体）
１２Ａ  ちょうつがい
１３    ソーラーパネル
１３Ａ  電気エネルギー
１４    電源装置（バッテリー）
１４Ａ  充電電池
１４Ｂ  充電電池
１４Ｃ  チャージコントローラ
１４Ｄ  インバータ
１４Ｅ  電源コンセント
１４Ｆ  アクセスドア
１４Ｇ  スリット
１５    ディスプレイ
１５Ａ  コンテンツ
１５Ｂ  センサー
１５Ｃ  検知照度
１６    記憶媒体
１６Ａ  画像ファイル
１６Ｂ  時季の情報
１６Ｃ  画像ファイル
１７    操作盤
１７Ａ  月指定スイッチ
１７Ｂ  誕生日スイッチ
１７Ｃ  自動スイッチ
１７Ｄ  選択情報
１７Ｅ  切り替え信号
１７Ｆ  指定情報
１８    制御盤
１８Ａ  制御手段
１８Ｂ  コンテンツ用意手段
１８Ｃ  電子カレンダー
１８Ｄ  アクセスドア
１８Ｅ  配線
１８Ｆ  日時の情報
１９    マグネットアラーム
１９Ａ  本体部
１９Ｂ  マグネット
２０    ユニットドア（ドアの構造）
２０Ａ  開口枠
２０Ｂ  小壁
２１    親扉（扉板）
２１Ａ  ちょうつがい
２１Ｂ  ＬＥＤライト
２２    子扉（隣接体）
２２Ａ  ちょうつがい
２３    ソーラーパネル
２４    電源装置（バッテリー）
２４Ａ  充電電池
２４Ｃ  チャージコントローラ
２４Ｄ  インバータ
２４Ｅ  電源コンセント
２４Ｆ  アクセスドア
２５    ディスプレイ
２８    制御盤
２８Ｅ  配線
２９    マグネットアラーム
２９Ａ  本体部
２９Ｂ  マグネット
９０    建物
９０Ａ  開口部
【要約】
【課題】夜間における発光表示の内容の変化を楽しむことが可能なドアの構造の提供。
【解決手段】ユニットドア１０（ドアの構造）では、ソーラーパネル１３を備えた親扉１１（扉板）にディスプレイ１５を備えた子扉１２（隣接体）が隣接される。ソーラーパネル１３が発電した電気は電源装置１４（バッテリー）に蓄電され、ディスプレイ１５の発光表示に使用される。また、ユニットドア１０は、特定の歳時または風物を表す画像ファイルを複数、時季の情報と対応させて記憶する記憶媒体と、現時点の時季における歳時または風物を表した画像ファイルを記憶媒体から読み取ってディスプレイ１５による表示が可能なコンテンツとするコンテンツ用意手段とを備える。また、ユニットドア１０は、現時点が昼か夜かを判定し、夜と判定したときにはコンテンツ用意手段により用意されたコンテンツをディスプレイ１５に表示させる制御手段を備える。
【選択図】図２【図１】
0005827436.tif 000002
【図２】
0005827436.tif 000003
【図３】
0005827436.tif 000004
【図４】
0005827436.tif 000005
【図５】
0005827436.tif 000006